(57)【要約】      （修正有）【課題】長期間にわたった履物の着用にも疲れを防止し、足裏に加わる衝撃を効果的に緩和させ、足底筋膜炎の防止及び関節保護機能を極大化させる新しい形態のエアクッションインソールを提供する。【解決手段】踵領域及びアーチ領域が形成されたシート１及び；前記シート１に結合され、空気を収容して密閉される内部空間２１が形成され、前記アーチ領域にエアクッションが作用するようにするエアバランシングセル２０を含み、前記エアバランシングセル２０は、踵セル２２、前記アーチ領域の内側に位置するように設置される第１アーチセル２６、及び前記アーチ領域の外側に位置するように設置される第２アーチセル２８を備え、前記踵セル２２、第１アーチセル２６及び第２アーチセル２８は前記内部空間２１によって互いに連通し、前記踵セル２２が使用者の踵によって押されたとき、空気が前記第１アーチセル２６と第２アーチセル２８に分散される。【選択図】図３
2014012141.tif 000002
【特許請求の範囲】
【請求項１】
足裏の踵（ｈｅｅｌ）と母指球（ｂａｌｌ）の間のアーチ（ａｒｃｈ）にエアクッションが作用するようにするエアクッションインソールにおいて、
前記踵及びアーチがそれぞれ置かれるように、対応位置に形成される踵領域２及びアーチ領域４が形成されたシート１、及び
前記シート１に結合され、空気を収容して密閉される内部空間２１が形成され、前記アーチ領域４にエアクッションが作用するようにするエアバランシングセル２０を含み、
前記エアバランシングセル２０は、
前記踵領域２に位置するように設置される踵セル２２、
前記アーチ領域４の内側に位置するように設置される第１アーチセル２６、及び
前記アーチ領域４の外側に位置するように設置される第２アーチセル２８を備え、
前記踵セル２２、第１アーチセル２６及び第２アーチセル２８は前記内部空間２１によって互いに連通し、前記踵セル２２が使用者の踵によって押されたとき、空気が前記第１アーチセル２６と第２アーチセル２８に分散されるようにすることによって使用者のアーチを均衡的に支えることを特徴とする、エアクッションインソール。
【請求項２】
足裏の踵（ｈｅｅｌ）と母指球（ｂａｌｌ）の間のアーチ（ａｒｃｈ）にエアクッションが作用するようにするエアクッションインソールにおいて、
前記踵、母指球及びアーチがそれぞれ置かれるように、対応位置に形成される踵領域２、母指球領域３及びアーチ領域４が形成されたシート１、及び
前記シート１に結合され、空気を収容して密閉される内部空間２１が形成され、前記アーチ領域４にエアクッションが作用するようにするエアバランシングセル２０を含み、
前記エアバランシングセル２０は、
前記踵領域２に位置するように設置される踵セル２２、
前記アーチ領域４の内側に位置するように設置される第１アーチセル２６、及び
前記アーチ領域４の外側に位置するように設置される第２アーチセル２８を備え、
前記踵セル２２、第１アーチセル２６及び第２アーチセル２８は、前記内部空間２１によって互いに連通し、前記踵セル２２が使用者の踵によって押されたとき、空気が前記第１アーチセル２６と第２アーチセル２８に分散されるようにすることによって使用者のアーチを均衡的に支えることを特徴とする、エアクッションインソール。
【請求項３】
前記踵領域２とアーチ領域４を支えるように形成され、前記シート１の下面に結合されるヒールカップ７０をさらに含み、
前記エアバランシングセル２０は前記ヒールカップ７０によって支持されて前記シート１の下面に結合されることを特徴とする、請求項１または２に記載のエアクッションインソール。
【請求項４】
前記エアバランシングセル２０は前記踵セル２２、第１アーチセル２６及び第２アーチセル２８の内部空間２１内に設置されるスポンジ５２、５６、５８をさらに含むことを特徴とする、請求項３に記載のエアクッションインソール。
【発明の詳細な説明】
【技術分野】
【０００１】
本発明はエアクッションインソールに係り、より詳しくはエアクッションによってアーチサポート機能を果たすようにするとともに扁平足（ｐｅｓ  ｐｌａｎｕｓ）及び凹足（ｐｅｓ  ｃａｖｕｓ）のように足のアーチが正常でない多様な場合にも足の均衡を維持することにより、長期間にわたった履物の着用による疲れを防止し、足裏に加わる衝撃を効果的に緩和させ、足底筋膜炎の防止及び関節保護機能を極大化することができるエアクッションインソールに関する。
【背景技術】
【０００２】
現在、履物は履き心地を良くするとか衝撃吸水性を高めるなどの機能性を向上させるための多様な製品が市販されている。そして、甲皮内に入れて使うインソール（中底）においても、このような機能性を付与するための多様な技術が提案されている。
【０００３】
特許文献１の“アーチ補正具を内蔵する履物中底”は、シリコンやウレタンなどの高弾性素材でなった履物中底の中央部位、つまりアーチがある部分を横に半円状に切開し、その切開された内部に補正具を適当な位置に置き、補正具の両側に付いている両面テープの紙を取り外して接着した後、空気注入部を通じて注射器や注射針付きスポイトなどで空気を注入して適当な高さに膨らませば、自分の足のアーチに当たる位置及び高さに履物中底がアーチを補正するようになる技術を提案している。
【０００４】
一方、特許文献２の“アーチの高さ調節可能な履物用インソール”は、アーチ部の下面に、エアが注入される程度によって体積が膨脹してアーチ部の高さを異にして、個人別に異なるアーチに当たるように支持することができるとともに、必要の際には注入されたエア量を随時調節することができるので、足の矯正及び疲れ感の緩和が一層容易な支持具をさらに備えた技術を提案している。
【０００５】
また、特許文献３の“指圧機能を持つインソール”は、底面側の後踵部と中間部に陷沒した後踵付着凹部と中間付着凹部が形成された本体；後踵付着凹部に挿着されるポンピング部と中間付着凹部に挿入される加圧部が連結チューブで連結され、連結チューブの内部にチェックバルブが備えられる指圧ユニット；ポンピング部と加圧部の縁部を覆うとともに前記本体の底面に結合されることで、指圧ユニットを固定させる補助カバーを含む技術を提案している。そして、これと類似した技術としては、特許文献４の“側面部で空気の入出が可能な履物中底”、特許文献５の“履物の中創意緩衝構造”、特許文献６の“エア中敷”及び特許文献７の“空気循環機能を持つ履物用中底”などが提案されている。
【０００６】
このような従来技術によるインソールは、空気（ａｉｒ）によって形成されるエアクッション（ａｉｒ  ｃｕｓｈｉｏｎ）が足のアーチ（ａｒｃｈ）に作用することにより、足裏のアーチを効果的に支持して、歩行時の足の疲れを緩和させるようにした。
【０００７】
しかし、このような従来技術によるエアクッションインソールは、アーチ部のみの高さを高めているため、これを改善しなければならない必要性を持っている。すなわち、従来技術によるエアクッションインソールは、使用者が履くとき、アーチの内側にだけエアが作用して足を支持することになる。この場合、アーチの外側があまり低くなって正常な足裏の形態を持った使用者やアーチの内外側の高さの差が小さい人の場合、むしろ不便な状態となるものである。
【０００８】
したがって、従来技術によるエアクッションインソールは、アーチの内側をあまり高めて支持する構造を持つため、多様な足裏の形を持つ使用者を満足させにくい問題点があるものである。
【先行技術文献】
【特許文献】
【０００９】
【特許文献１】大韓民国公開特許公報第１０−２００４−００４８７７７号明細書
【特許文献２】大韓民国公開特許公報第１０−２０１２−００１７６６０号明細書
【特許文献３】大韓民国公開特許公報第１０−２０１２−００５５８２５号明細書
【特許文献４】大韓民国登録特許公報第１０−１１３０９７５号明細書
【特許文献５】大韓民国登録実用新案公報第２０−０１２１８５７号明細書
【特許文献６】大韓民国実用新案登録公報第２０−０１２１８５８号明細書
【特許文献７】大韓民国実用新案登録公報第２０−０３７２０８５号明細書
【発明の概要】
【発明が解決しようとする課題】
【００１０】
本発明はこのような従来技術の問題点を改善するためになされたもので、エアクッションによってアーチサポートの機能を果たすようにするとともに扁平足及び凹足のように足のアーチが正常でない多様な場合にも足の均衡を維持することにより、長期間にわたった履物の着用による疲れを防止し、足裏に加わる衝撃を効果的に緩和させ、足底筋膜炎の防止及び関節保護機能を極大化させることができる新しい形態のエアクッションインソールを提供することを目的とする。
【００１１】
特に、本発明は、エアクッションによってアーチサポート機能を果たすようにするとともにアーチの内外側にエアが分散される構造を持つようにして、アーチの内外側の形態がそれぞれ異なる用途に合わせて均衡的にアーチを支持するエアバランシングシステムを実現することができる新しい形態のエアクッションインソールを提供することを他の目的とする。
【００１２】
また、本発明は、インソールにエアクッション機能のための構成を適用することにより、発生可能な異物感と空気の流れによって発生可能な騷音の発生を効果的に減らすことができる新しい形態のエアクッションインソールを提供することをさらに他の目的とする。
【課題を解決するための手段】
【００１３】
前述した目的を達成するための本発明の特徴によれば、足裏の踵と母指球の間のアーチにエアクッションが作用するようにするエアクッションインソールであって、前記踵及びアーチがそれぞれ置かれるように、対応位置に形成される踵領域及びアーチ領域が形成されたシート及び；前記シートに結合され、空気を収容して密閉される内部空間が形成され、前記アーチ領域にエアクッションが作用するようにするエアバランシングセルを含み；前記エアバランシングセルは、前記踵領域に位置するように設置される踵セル、前記アーチ領域の内側に位置するように設置される第１アーチセル、及び前記アーチ領域の外側に位置するように設置される第２アーチセルを備え、前記踵セル、第１アーチセル及び第２アーチセルは前記内部空間によって互いに連通し、前記踵セルが使用者の踵によって押されたとき、空気が前記第１アーチセルと第２アーチセルに分散されるようにすることによって使用者のアーチを均衡的に支える。
【００１４】
このようなエアクッションインソールにおいて、  前記踵領域とアーチ領域を支えるように形成され、前記シートの下面に結合されるヒールカップをさらに含み、前記エアバランシングセルは前記ヒールカップによって支持されて前記シートの下面に結合されることができる。
【００１５】
このようなエアクッションインソールにおいて、前記エアバランシングセルは前記踵セル、第１アーチセル及び第２アーチセルの内部空間内に設置されるスポンジをさらに含むことができる。
【００１６】
また、前述した目的を達成するための本発明の特徴によれば、足裏の踵と母指球の間のアーチにエアクッションが作用するようにするエアクッションインソールであって、前記踵、母指球及びアーチがそれぞれ置かれるように、対応位置に形成される踵領域、母指球領域及びアーチ領域が形成されたシート、及び前記シートに結合され、空気を収容して密閉される内部空間が形成され、前記アーチ領域にエアクッションが作用するようにするエアバランシングセルを含み、前記エアバランシングセルは、前記踵領域に位置するように設置される踵セル、前記アーチ領域の内側に位置するように設置される第１アーチセル、及び前記アーチ領域の外側に位置するように設置される第２アーチセルを備え、前記踵セル、第１アーチセル及び第２アーチセルは、前記内部空間によって互いに連通し、前記踵セルが使用者の踵によって押されたとき、空気が前記第１アーチセルと第２アーチセルに分散されるようにすることによって使用者のアーチを均衡的に支える。
【００１７】
このようなエアクッションインソールにおいて、  前記踵領域とアーチ領域を支えるように形成され、前記シートの下面に結合されるヒールカップをさらに含み、前記エアバランシングセルは前記ヒールカップによって支持されて前記シートの下面に結合されることができる。
【００１８】
このようなエアクッションインソールにおいて、前記エアバランシングセルは前記踵セル、第１アーチセル及び第２アーチセルの内部空間内に設置されるスポンジをさらに含むことができる。
【発明の効果】
【００１９】
本発明によるエアクッションインソールによれば、エアバランシングセルがアーチ領域の内側及び外側に配置される第１アーチセルと第２アーチセルを含んでなるので、エアクッションによってアーチサポート機能を果たすようにするとともにアーチの内外側にエアが分散される構造によってアーチの内外側の形態がそれぞれ異なる用途に合わせて均衡的にアーチを支持するようにするエアバランシングシステムを実現することができる。よって、本発明によるエアクッションインソールは、一般的な足構造とともに扁平足及び凹足のように足のアーチが正常でない多様な場合にも足の均衡を維持することで、長期間にわたった履物の着用にも疲れを防止し、足裏に加わる衝撃を効果的に緩和させ、足底筋膜炎の防止と関節保護機能を極大化させることができる。また、空気が収容される踵セル、第１アーチセル及び第２アーチセルの内部空間内にスポンジを設置することにより、空気の流れがなだらかになるようにしながらも密閉して空気を収容する上下フィルムの摩擦による騷音を効果的に遮断することができる効果がある。
【図面の簡単な説明】
【００２０】
【図１】本発明の技術思想によるエアクッションインソールを説明するための図である。
【図２】本発明によるエアクッションインソールの使用状態を説明するための図である。
【図３】本発明の好適な実施例によるエアクッションインソールの底面図である。
【図４】図３のＡ線についての使用状態を説明するための図である。
【図５】図３のＢ線についての使用状態を説明するための図である。
【図６】本発明の好適な実施例によるエアクッションインソールの分解斜視図である。
【図７】本発明の好適な実施例によるエアクッションインソールを裏返して示す斜視図である。
【図８】本発明の好適な実施例によるエアクッションインソールのエアバランシングセルの分解斜視図である。
【発明を実施するための形態】
【００２１】
図１は本発明の技術思想によるエアクッションインソールを説明するための図、図２は本発明によるエアクッションインソールの使用状態を説明するための図である。
【００２２】
図１及び図２を参照すれば、本発明によるエアクッションインソール１０は、履物に入れられて使用者の足裏を支えるように形成されるシート１にエアバランシングセル２０を備えることで、足裏の踵（ｈｅｅｌ）と母指球（ｂａｌｌ）の間のアーチ（ａｒｃｈ）にエアクッション（ａｉｒ  ｃｕｓｈｉｏｎ）が作用するようにする。
【００２３】
この際、シート１は、踵、母指球及びアーチがそれぞれ置かれるように、対応位置に形成される踵領域２、母指球領域３及びアーチ領域４を持つ。もちろん、本発明によるシート１は製造者または使用者の必要に応じて多様な構造を持つことができるが、一般的な足の構造と対応する踵領域２、母指球領域３及びアーチ領域４に区分されるインソールまたは足の後部のみを支持するように、母指球領域３を除いた踵領域２及びアーチ領域４に区分されるインソールでなることができるものである。すなわち、本発明によるエアクッションインソール１０のシート１は母指球領域３を含む形態と母指球領域３を除いた形態のいずれにも適用できるが、このような２種のインソールは本発明の技術思想に含まれるものと見なすことができるので、本発明では母指球領域３を含む一般的なインソールの形態を基準に説明する。
【００２４】
このようなシート１はインソールの胴体であり、使用者の足裏が触れる上面には通気性及び吸水性が優れ、抗菌性を持つように形成される布地が付着される。シート１は、一般にインソールの形成の際に使われているラテックス、ＥＶＡ、ウレタン素材などから成形用金型によって発泡成形される。もちろん、このようなシート１の素材及び製造方法は当該技術分野で多様に応用されている技術が製造者の必要に応じて選択的に使われることができる。
【００２５】
本発明によるエアクッションインソール１０において、エアバランシングセル２０はシート１に結合され、空気を収容して密閉される内部空間２１が形成され、アーチ領域４にエアクッションが作用するようにする。特に、本発明において、エアバランシングセル２０はアーチ領域４の内外側にエアクッションが作用するように構成することにより、エアクッションによってアーチサポート機能を果たすようにするとともにアーチの内外側にエアが分散される構造によってアーチの内外側の形態がそれぞれ異なる使用に合わせて均衡的にアーチを支持するエアバランシングシステムを実現する。
【００２６】
このために、本発明によるエアバランシングセル２０は、踵セル２２、第１アーチセル２６及び第２アーチセル２８を含んでなる。この際、踵セル２２は踵領域２に位置するように設置され、第１アーチセル２６はアーチ領域４の内側に位置するように設置され、第２アーチセル２８はアーチ領域４の外側に位置するように設置される。そして、図２に示すように、踵セル２２と第１アーチセル２６及び第２アーチセル２８は内部空間２１に互いに連通することで、踵セル２２が使用者の踵によって押し付けられたとき、空気が第１アーチセル２６と第２アーチセル２８に分散されるようにすることにより、使用者のアーチを均衡的に支えるようにする。
【００２７】
このようなエアバランシングセル２０は本発明の好適な実施例のように構成されることが好ましいが、本発明の技術思想内で当該分野でエアクッションインソールに適用される多様な形態を適用することができるものである。例えば、本発明の好適な実施例において、エアバランシングセル２０はヒールカップ７０によってシート１の下面に結合される形態を示したが、本発明によるエアクッションインソール１０においてエアバランシングセル２０がシート１に結合される形態は本発明の好適な実施例に制限されなく、シート１に挿入されるか、上面に結合されるか、あるいは内部に挿入されるなどの多様な方式が適用可能なものである。
【００２８】
以下、本発明の好適な実施例を添付図面の図３〜図８に基づいて詳細に説明する。図１〜図８において、同一機能を果たす構成要素に対しては同一参照符号を付ける。一方、各図において、インソールの構成及び製造方法、エアクッションの機能を果たすための従来技術から当該分野の当業者が容易に適用することができる技術についての詳細な説明は省略する。そして、図面の図示において、要素のサイズ比が多少違って表現されるか、あるいは互いに結合される部品のサイズが違って表現された部分もあるが、このような図面の縮尺の差は当該分野の当業者が容易に理解することができる部分なので更なる説明を省略する。
【００２９】
図３は本発明の好適な実施例によるエアクッションインソールの底面図、図４は図３のＡ線についての使用状態を説明するための図、図５は図３のＢ線についての使用状態を説明するための図、図６は本発明の好適な実施例によるエアクッションインソールの分解斜視図、図７は本発明の好適な実施例によるエアクッションインソールを裏返して示す斜視図、図８は本発明の好適な実施例によるエアクッションインソールのエアバランシングセルの分解斜視図である。
【００３０】
図３〜図７を参照すれば、本発明の好適な実施例によるエアクッションインソール１０は、本発明の技術思想によって履物に入れて使用者の足裏を支えるように形成されるシート１にエアバランシングセル２０を備えることで、足裏の踵と母指球の間のアーチにエアクッションが作用するようにする。
【００３１】
この際、本実施例によるエアクッションインソール１０は踵領域２とアーチ領域４を支えるように形成されてシート１の下面に結合されるヒールカップ７０を備えることで、エアバランシングセル２０がヒールカップ７０によって支持されてシート１の下面に結合されるようにする。通常、ヒールカップ７０はシート１より硬質の合成樹脂から射出成形される。このようなヒールカップ７０の適用はインソール構造の変更を最小化しながらエアバランシングセル２０をシート１に容易に設置することができるようにし、エアバランシングセル２０の破損を効果的に遮断させることができるようにする。
【００３２】
このようなエアバランシングセル２０の設置構造において、図７に示すように、本実施例によるエアクッションインソール１０は、通常のインソール製造過程においてヒールカップ７０をシート１に付着させる工程で本発明によるエアバランシングセル２０を挿入させることだけで製造することができるので、エアバランシングセル２０の設置のための付加の工程を追加する必要がなくて製造の便宜性を高める。
【００３３】
本実施例において、シート１とヒールカップ７０は、通常のインソールの構成の際に適用される多様な構造及び形態を持つことができる。そして、図８に示すように、エアバランシングセル２０において、ヒールカップ７０のホール７２を通じて露出される踵セル２２の下面には多様なロゴなどのデザインが適用できるものである。
【００３４】
本実施例において、シート１は、踵、母指球及びアーチがそれぞれ置かれるように、対応位置に形成される踵領域２、母指球領域３及びアーチ領域４を持つ。そして、踵領域２とアーチ領域４にはヒールカップ７０が結合され、ヒールカップ７０の内側にはエアバランシングセル２０が位置し、図７のような配置順に結合される構造を持つようにして、結合後に図８のような完成状態を持つようにする。
【００３５】
本実施例において、エアクッションインソール１０において、ヒールカップ７０はエアバランシングセル２０の踵セル２２が露出されるようにするホール７２を持つ。よって、エアバランシングセル２０の踵セル２２はヒールカップ７０のホール７２を通じてシート１の下面に露出されることにより、図４に示すように、使用者の足がシート１に置かれたとき、使用者の踵が踵エアセル２２を押し付け、踵エアセル２２に満たされていた空気は、図５に示すように、分岐された第１アーチセル２６と第２アーチセル２８に流れてエアクッションを形成し、第１アーチセル２６と第２アーチセル２８は内部空間２１を通じて互いに連通しているので、使用者のアーチ構造に応じて空気を配分して、アーチの内外側を支えるエアクッションの均衡を図るようになるものである。
【００３６】
本発明の好適な実施例によるエアクッションインソール１０において、エアバランシングセル２０はシート１に結合され、空気を収容して密閉される内部空間２１が形成され、アーチ領域４にエアクッションが作用するようになり、アーチ領域４の内外側にエアクッションが作用するように構成されることにより、エアクッションによってアーチサポート機能を果たすようにするとともにアーチの内外側にエアが分散される構造によってアーチの内外側の形態がそれぞれ異なる使用に合わせて均衡的にアーチを支持するエアバランシングシステムを実現する。
【００３７】
より具体的に説明すれば、本発明の好適な実施例によるエアバランシングセル２０は、踵セル２２、第１アーチセル２６、及び第２アーチセル２８を含んでなる。この際、踵セル２２は踵領域２に位置するように設置され、第１アーチセル２６はアーチ領域４の内側に位置するように設置され、第２アーチセル２８はアーチ領域４の外側に位置するように設置される。そして、踵セル２２、第１アーチセル２６及び第２アーチセル２８は内部空間２１を通じて互いに連通するので、踵セル２２が使用者の踵によって押されたとき、空気が第１アーチセル２６と第２アーチセル２８に分散されるようにすることにより、使用者のアーチを均衡的に支えるようにする。
【００３８】
本実施例において、エアバランシングセル２０は、踵セル２２、第１アーチセル２６及び第２アーチセル２８の間に分配セル２４を形成することで、使用の際、踵セル２２から移動する空気が第１アーチセル２６及び第２アーチセル２８に分配されるようにするとともに第１アーチセル２６及び第２アーチセル２８の間の空気の配分が効果的になるようにする。すなわち、エアバランシングセル２０の構成の際、踵セル２２と第１アーチセル２６、踵セル２２と第２アーチセル２８、そして第１アーチセル２６と第２アーチセル２８がそれぞれ別個に接続するようにして、内部空間２１（図３参照）を形成するようにすることができるが、この場合、空気の経路が複雑になり長くなって空気の流れが迅速でなだらかになりにくいからである。したがって、この実施例は、分配セル２４が第１アーチセル２６と第２アーチセル２８の間に配置されて踵セル２２に連結され、これによって第１アーチセル２６と第２アーチセル２８が接続されて内部空間２１を形成することで、踵セル２２から移動する空気が第１アーチセル２６及び第２アーチセル２８に分配されるようにするとともに第１アーチセル２６及び第２アーチセル２８の間の空気の配分が効果的になるようにする。
【００３９】
このようなエアバランシングセル２０は、図８に示すように、下部フィルム３０と上部フィルム４０が空気を収容する内部空間２１を形成することでなる。この際、本実施例は、踵セル２２、第１アーチセル２６、及び第２アーチセル２８の内部空間２１内にスポンジ５２、５６、５８を設置することで、空気の流動時に発生する騷音を防止するようにする。すなわち、下部フィルム３０と上部フィルム４０のみでエアバランシングセル２０を形成する場合、使用者の動きによって持続的に圧縮及び膨脹の過程を繰り返す踵セル２２、第１アーチセル２６及び踵セル２２は下部フィルム３０と上部フィルム４０が摩擦する現象が発生し、これによって摩擦音が発生する。よって、本実施例は、空気を収容する踵セル２２、第１アーチセル２６及び第２アーチセル２８の内部空間２１内にスポンジ５２、５６、５８を設けることで、空気の流れをなだらかにしながらも、密閉して空気を収容する上下部フィルム４０、３０の摩擦による騷音を効果的に遮断する。もちろん、本実施例で使われるスポンジ５２、５６、５８は多様な形態の弾性海綿状の多孔質物質を適用して構成することができる。
【００４０】
一方、図６及び図８を参照すれば、本実施例によるエアクッションインソール１０のエアバランシングセル２０は、下部フィルム３０と上部フィルム４０が踵セル２２、分配セル２４、第１アーチセル２６及び第２アーチセル２８と対応する領域３２、３４、３６、３８、４２、４４、４６、４８を持つように切開されて形成される。そして、これらの領域３２、３４、３６、３８、４２、４４、４６、４８の周囲には付着縁部３１を提供し、高周波融着などの方法で下部フィルム３０と上部フィルム４０を付着させることにより、空気を収容する内部空間２１を形成する。特に、本実施例において、エアバランシングセル２０は内部空間２１を安定的に形成し、スポンジ５２、５６、５８の設置を便利に行えるために、下部フィルム３０の踵セル２２、分配セル２４、第１アーチセル２６及び第２アーチセル２８と対応する領域３２、３４、３６、３８が孔の形態に形成される。
【００４１】
前述したような本発明の好適な実施例によるエアクッションインソールを添付図面に基づいて説明したが、これは例として説明したものに過ぎなく、本発明の技術的思想を逸脱しない範囲内で多様な変化及び変更が可能であることが当該分野の当業者によって易しく理解可能であろう。
【産業上の利用可能性】
【００４２】
本発明は、エアクッションによってアーチサポートの機能を果たすようにするとともに足のアーチが正常でない多様な場合にも足の均衡を維持することにより、長期間にわたった履物の着用にも疲れを防止し、足裏に加わる衝撃を効果的に緩和させ、足底筋膜炎の防止及び関節保護機能を極大化させる新しい形態のエアクッションインソールに適用可能である。
【符号の説明】
【００４３】
１    シート
２    踵領域
３    母指球領域
４    アーチ領域
１０    エアクッションインソール
２０    エアバランシングセル
２１    内部空間
２２    踵セル
２６    第１アーチセル
２８    第２アーチセル
５２、５６、５８    スポンジ
７０    ヒールカップ（ｈｅｅｌ  ｃｕｐ）
【図１】
2014012141.tif 000003
【図２】
2014012141.tif 000004
【図３】
2014012141.tif 000005
【図４】
2014012141.tif 000006
【図５】
2014012141.tif 000007
【図６】
2014012141.tif 000008
【図７】
2014012141.tif 000009
【図８】
2014012141.tif 000010